(57)【要約】【課題】摺動面における潤滑油の不足を抑制可能なすべり支承装置を提供する。【解決手段】すべり支承装置は、すべり板と、摺動材とを備える。摺動材は、すべり板において摺動するように構成されている。摺動材は、すべり材と、チューブ状のダストシールとを含む。すべり材は、すべり板に接するように構成されている。ダストシールは、すべり材の周囲を囲むとともにすべり板に接するように構成されている。ダストシールにおいては、平面視における内周及び外周の各々に潤滑油を通すための孔が形成されている。【選択図】図１
2019207009.tif 000002
【特許請求の範囲】
【請求項１】
すべり板と、
前記すべり板において摺動するように構成された摺動材とを備え、
前記摺動材は、
前記すべり板に接するように構成されたすべり材と、
前記すべり材の周囲を囲むとともに前記すべり板に接するように構成された、チューブ状のダストシールとを含み、
前記ダストシールにおいては、平面視における内周及び外周の各々に潤滑油を通すための孔が形成されている、すべり支承装置。
【請求項２】
前記内周に形成された孔の数は複数である、請求項１に記載のすべり支承装置。
【請求項３】
前記内周に形成された孔は、前記外周に形成された孔と比較して、前記ダストシールの径方向の断面において低い位置に形成されている、請求項１又は請求項２に記載のすべり支承装置。
【請求項４】
前記内周に形成された孔と前記外周に形成された孔とは、平面視において対向しない位置に形成されている、請求項１から請求項３のいずれか１項に記載のすべり支承装置。
【請求項５】
前記ダストシールの色は透明又は半透明である、請求項１から請求項４のいずれか１項に記載のすべり支承装置。
【発明の詳細な説明】
【技術分野】
【０００１】
本発明は、すべり支承装置に関する。
【背景技術】
【０００２】
特開２０１２−３６６０６号公報（特許文献１）は、ソールプレートと、ソールプレートにおいて摺動するベアリングとを備えるすべり支承装置を開示する。このすべり支承装置においては、ベアリングの周囲に、ソールプレートに接するダストシールが形成されている。このすべり支承装置においては、ベアリングとソールプレートとの間の摺動面へのゴミ、粉塵等の侵入が、ダストシールによって防止されている（特許文献１参照）。
【先行技術文献】
【特許文献】
【０００３】
【特許文献１】特開２０１２−３６６０６号公報
【発明の概要】
【発明が解決しようとする課題】
【０００４】
すべり支承装置においては、すべり材（ベアリング）の摺動を滑らかにするために、摺動面に潤滑油を塗布する場合がある。この場合に、上記特許文献１のようにすべり材の周囲にダストシールを形成すると、地震等に起因したすべり材の摺動によって、すべり材が潤滑油をすべり板の外周方向に徐々に押し出し、さらに、ダストシールが潤滑油をすべり板の外周方向に徐々に押し出すという事態が生じ得る。その結果、摺動面において潤滑油が不足し得る。
【０００５】
本発明は、このような問題を解決するためになされたものであって、その目的は、摺動面における潤滑油の不足を抑制可能なすべり支承装置を提供することである。
【課題を解決するための手段】
【０００６】
本発明に従うすべり支承装置は、すべり板と、摺動材とを備える。摺動材は、すべり板において摺動するように構成されている。摺動材は、すべり材と、チューブ状のダストシールとを含む。すべり材は、すべり板に接するように構成されている。ダストシールは、すべり材の周囲を囲むとともにすべり板に接するように構成されている。ダストシールにおいては、平面視における内周及び外周の各々に潤滑油を通すための孔が形成されている。
【０００７】
このすべり支承装置においては、チューブ状のダストシールの内周及び外周の各々に潤滑油を通すための孔が形成されている。すなわち、このすべり支承装置においては、ダストシールの外周に設けられた孔から潤滑油が注入されると、潤滑油が内周の孔から摺動面に供給される。したがって、このすべり支承装置によれば、潤滑油が不足する前に潤滑油を供給することができる。
【０００８】
上記すべり支承装置において、内周に形成された孔の数は複数である。
このすべり支承装置によれば、潤滑油が内周に設けられた複数個所の孔から摺動面に供給されるため、摺動面の広い範囲に潤滑油を供給することができる。
【０００９】
上記すべり支承装置において、内周に形成された孔は、外周に形成された孔と比較して、ダストシールの径方向の断面において低い位置に形成されていてもよい。
【００１０】
このすべり支承装置によれば、内周に形成された孔が外周に形成された孔よりも低い位置にあるため、外周の孔から注入された潤滑油が再び外周の孔から放出される事態を抑制することができる。
【００１１】
上記すべり支承装置において、内周に形成された孔と外周に形成された孔とは、平面視において対向しない位置に形成されていてもよい。
【００１２】
このすべり支承装置においては、外周の孔から注入された潤滑油が一旦チューブ（ダストシール）内を流れるため、潤滑油が注入された孔からより離れた位置の内周の孔に潤滑油が到達する。したがって、このすべり支承装置によれば、摺動面におけるより広い範囲に潤滑油を供給することができる。
【００１３】
上記すべり支承装置において、ダストシールの色は透明又は半透明であってもよい。
【００１４】
このすべり支承装置によれば、ダストシールに潤滑油を注入した場合に、潤滑油がチューブ（ダストシール）内において行き渡っている範囲及び摺動面において供給されている範囲を施工者が視認することができる。
【発明の効果】
【００１５】
本発明によれば、摺動面における潤滑油の不足を抑制可能なすべり支承装置を提供することができる。
【図面の簡単な説明】
【００１６】
【図１】すべり支承装置の平面図である。
【図２】図１のＩＩ−ＩＩ断面図である。
【図３】図２の領域Ｔ１の部分拡大図である。
【図４】ダストシールの平面図である。
【図５】図４のＶ−Ｖ断面図である。
【図６】ダストシールを内周側から見た場合の部分拡大図である。
【図７】ダストシール内における潤滑油の流れを説明するための図である。
【図８】孔からの潤滑油の注入が終わった状態におけるダストシールの断面を示す図である。
【図９】ダストシール内に残った潤滑油が摺動面に供給される様子を説明するための図である。
【発明を実施するための形態】
【００１７】
以下、本発明の実施の形態について、図面を参照しながら詳細に説明する。なお、図中同一又は相当部分には同一符号を付してその説明は繰り返さない。
【００１８】
［１．すべり支承装置の構成］
図１は、本実施の形態に従うすべり支承装置１０の平面図である。図２は、図１のＩＩ−ＩＩ断面図である。すべり支承装置１０は、建物の上部構造と下部構造との間に設けられる免震構造に適用され、地震等の揺れの上部構造への伝達を抑制するように構成されている。
【００１９】
図１及び図２に示されるように、すべり支承装置１０は、下沓１００と上沓２００とを含んでいる。たとえば、下沓１００は建物の下部構造に取り付けられ、上沓２００は建物の上部構造に取り付けられる。上沓２００に対して下沓１００が平面方向にスライドすることによって、下部構造から上部構造への地震等の揺れの伝達が抑制される。
【００２０】
下沓１００は、ソールプレート１１０と、スライドプレート１２０とを含んでいる。ソールプレート１１０は、たとえば、平面視矩形状の鋼で構成されている。ソールプレート１１０は、たとえば、ボルトを介して建物の下部構造に固定される。スライドプレート１２０は、たとえば、平面視八角形状のステンレス板によって構成されており、ソールプレート１１０の上面にボルト等を介して固定されている。
【００２１】
図３は、図２の領域Ｔ１の部分拡大図である。図３に示されるように、上沓２００は、べースポット２１０と、エラストマ２２０と、シールリング２３０と、ピストン２４０と、ベアリング２５０と、ダストシール２６０とを含んでいる。
【００２２】
べースポット２１０は、たとえば、平面視矩形状の鋼で構成されている。べースポット２１０の下面には、平面視円形状の凹部２１４が形成されている。エラストマ２２０、シールリング２３０及びピストン２４０の各々は、凹部２１４に嵌合されている。べースポット２１０は、たとえば、ボルトを介して建物の上部構造に固定される。
【００２３】
エラストマ２２０は、たとえば、平面視円形状の板状ゴム部材である。エラストマ２２０の外径は、凹部２１４の内径よりもわずかに小さい。
【００２４】
シールリング２３０は、たとえば、径の外側が垂直面となる断面台形状の円形リングである。シールリング２３０の外径は、エラストマ２２０の外径と略同一である。
【００２５】
ピストン２４０は、たとえば、ステンレスで構成されている。ピストン２４０の外周部の上端には、シールリング２３０の嵌合を許容する溝が形成されている。ピストン２４０の下面には、ベアリング２５０が固定されている。ピストン２４０の下面におけるベアリング２５０の固定は、たとえば、接着剤によって行なわれる。なお、ベアリング２５０は、ピストン２４０の下面に設けられた凹部に嵌め込まれた上で接着されるようにしてもよい。
【００２６】
ベアリング２５０は、たとえば、平面視円形状の板状部材であり、フッ素樹脂で構成されている。ベアリング２５０は、自己潤滑性を有しており、表面の摩擦係数が低い。
【００２７】
上沓２００において、べースポット２１０の下面には、さらに溝２１２が形成されている。溝２１２は、たとえば、平面視円環状であり、かつ、断面視円弧状であり、ベアリング２５０の外周を取り囲むように形成されている。溝２１２には、たとえば接着剤によって、ダストシール２６０が接合されている。
【００２８】
ダストシール２６０は、たとえば、平面視円環状のチューブ（中空）であり、フッ素樹脂（たとえば、ＰＦＡ、ＰＴＦＥ）で構成されている。フッ素樹脂で構成されているため、ダストシール２６０は、高い耐候性を有する。ダストシール２６０がＰＦＡで構成されている場合には、ダストシール２６０の色は透明である。ダストシール２６０の断面形状は、たとえば、円筒状である。ダストシール２６０の断面における直径（円筒の外径）は、たとえば、べースポット２１０とスライドプレート１２０との対向面の隙間の長さよりも長い。すなわち、ダストシール２６０は、溝２１２に接合された状態で、スライドプレート１２０と接触するように構成されている。ダストシール２６０が設けられることによって、ベアリング２５０及びスライドプレート１２０の対向面の間（摺動面の間）へのゴミ、粉塵等の侵入が抑制されている。
【００２９】
すべり支承装置１０においては、ベアリング２５０の摺動を滑らかにするために、摺動面に潤滑油（グリース）が塗布されている。しかしながら、地震等に起因したベアリング２５０の摺動によって、ベアリング２５０が潤滑油をスライドプレート１２０の外周方向に徐々に押し出し、さらに、ダストシール２６０がスライドプレート１２０の外周方向に潤滑油を徐々に押し出すという事態が生じ得る。
【００３０】
本実施の形態に従うすべり支承装置１０においては、ダストシール２６０による潤滑油の供給によって、潤滑油の不足が生じないようにするための工夫が採り入れられている。具体的には、摺動面における潤滑油の不足を抑制するために、ダストシール２６０の構造に工夫が施されている。以下、ダストシール２６０の構造について詳細に説明する。なお、潤滑油としては、公知の種々の潤滑油を用いることができる。
【００３１】
［２．ダストシールの構造］
図４は、ダストシール２６０の平面図である。図４に示されるように、ダストシール２６０は、平面視円環状の形状を有している。ダストシール２６０の外周には、たとえば、孔ＯＨ１が所定間隔毎に形成されている。たとえば、孔ＯＨ１の数は４個である。また、ダストシール２６０の内周には、たとえば、孔ＩＨ１が所定間隔毎に形成されている。たとえば、孔ＩＨ１の数は３２個である。すなわち、ダストシール２６０においては、外周よりも内周に、より多くの孔が形成されている。
【００３２】
詳細については後述するが、ダストシール２６０においては、摺動面において潤滑油が不足する前に、孔ＯＨ１から潤滑油が注入され、注入された潤滑油が孔ＩＨ１から摺動面に供給される。これにより、摺動面における潤滑油の不足が抑制される。ダストシール２６０において、孔ＯＨ１及び孔ＩＨ１は、平面視で対向しない位置に形成されている。したがって、孔ＯＨ１から注入された潤滑油は、一旦ダストシール２６０の内面に当たり、ダストシール２６０内を時計回り方向及び反時計回り方向に流れる。
【００３３】
図５は、図４のＶ−Ｖ断面図である。なお、図５において、符号ＩＨ１は、異なる断面における孔ＩＨ１の位置を示している。図６は、ダストシール２６０を内周側から見た場合の部分拡大図である。図５及び図６に示されるように、ダストシール２６０内は中空になっており、孔ＩＨ１は、孔ＯＨ１と比較して、ダストシール２６０の径方向の断面において低い位置に形成されている。たとえば、孔ＩＨ１は、孔ＯＨ１よりも長さＬ１低い位置に形成されている。したがって、孔ＯＨ１から注入された潤滑油は、再び孔ＯＨ１から放出されることなく、孔ＩＨ１から摺動面側に放出される。これによって、摺動面への潤滑油の供給が行なわれる。
【００３４】
［３．潤滑油の供給］
図７は、ダストシール２６０内における潤滑油の流れを説明するための図である。図７に示されるように、孔ＯＨ１から潤滑油が注入されると、潤滑油は、ダストシール２６０内を流れて、各孔ＩＨ１からダストシール２６０の内周側（摺動面側）に放出される。すなわち、いずれか１カ所の孔ＯＨ１から潤滑油が注入されると、摺動面（ベアリング２５０及びスライドプレート１２０の対向面）の周囲全体から摺動面に向けて潤滑油が供給される。なお、孔ＯＨ１からの潤滑油の注入は、たとえば、すべり支承装置１０の定期点検時や、地震の発生後等の応急（臨時）点検時等に行なわれる。
【００３５】
図８は、孔ＯＨ１からの潤滑油の注入が終わった状態におけるダストシール２６０の断面を示す図である。図８に示されるように、孔ＯＨ１からの潤滑油の注入が終わると、ダストシール２６０内の底部から孔ＩＨ１が設けられている高さまでは、注入された潤滑油Ｏ１の一部が残る。この残った潤滑油が、地震等が発生した場合に、摺動面にさらに供給される。
【００３６】
図９は、ダストシール２６０内に残った潤滑油Ｏ１が摺動面に供給される様子を説明するための図である。図９を参照して、たとえば、地震等によってすべり支承装置１０が矢印Ａ１方向に傾くと、孔ＩＨ１ａから潤滑油Ｏ１が放出され、摺動面に潤滑油Ｏ１が供給される。また、たとえば、地震等によってすべり支承装置１０が矢印Ａ２方向に傾くと、孔ＩＨ１ｂから潤滑油Ｏ１が放出され、摺動面に潤滑油Ｏ１が供給される。すなわち、本実施の形態に従うすべり支承装置１０においては、ダストシール２６０の内周全周において孔ＩＨ１が形成されているため、どのような方向にすべり支承装置１０が傾いたとしても、ダストシール２６０内に残った潤滑油が地震等の発生時に摺動面に供給される。なお、地震の発生時には、地盤の振動により一定時間の間に異なる方向（例えば、矢印Ａ１方向および矢印Ａ２方向）の傾きが各々複数回生じることが想定される。この場合、ダストシール２６０の内周の複数個所に孔ＩＨ１が形成されていれば、ダストシール２６０内の潤滑油が多方向から摺動面に供給され得るし、たとえダストシール２６０の内周の一箇所にしか孔ＩＨ１が形成されていなくても、ダストシール２６０内の潤滑油が摺動面に確実に供給され得る。
【００３７】
［４．特徴］
以上のように、本実施の形態に従うすべり支承装置１０において、ダストシール２６０には、平面視における内周及び外周の各々に潤滑油を通すための孔（孔ＯＨ１，孔ＩＨ１）が形成されている。内周に形成された孔（孔ＩＨ１）の数は複数である。すなわち、このすべり支承装置１０においては、ダストシール２６０の外周に設けられた孔ＯＨ１から潤滑油が注入されると、潤滑油が内周の複数箇所の孔ＩＨ１から摺動面に供給される。したがって、このすべり支承装置１０によれば、潤滑油が不足する前に、摺動面の広い範囲に潤滑油を供給することができる。
【００３８】
また、本実施の形態に従うすべり支承装置１０において、孔ＩＨ１は、孔ＯＨ１と比較して、ダストシール２６０の径方向の断面において低い位置に形成されている。したがって、このすべり支承装置１０によれば、孔ＯＨ１から注入された潤滑油が再び孔ＯＨ１から放出される事態を抑制することができる。
【００３９】
また、本実施の形態に従うすべり支承装置１０において、孔ＩＨ１と孔ＯＨ１とは、平面視において対向しない位置に形成されている。このすべり支承装置１０においては、外周の孔ＯＨ１から注入された潤滑油が一旦チューブ（ダストシール２６０）内を流れるため、潤滑油が注入された孔ＯＨ１からより離れた位置の内周の孔ＩＨ１に潤滑油が到達する。したがって、このすべり支承装置１０によれば、摺動面におけるより広い範囲に潤滑油を供給することができる。
【００４０】
また、本実施の形態に従うすべり支承装置１０において、たとえば、ダストシール２６０がＰＦＡで構成されている場合には、ダストシール２６０の色は透明である。この場合に、このすべり支承装置１０によれば、ダストシール２６０に潤滑油を注入した場合に、潤滑油がチューブ（ダストシール２６０）内において行き渡っている範囲及び摺動面において供給されている範囲を施工者が視認することができる。よって、ダストシール２６０の色は、透明又は半透明であることが好ましく、ここでの半透明とは、少なくとも、ダストシール２６０の内部が透き通って見える状態を指す。
【００４１】
なお、スライドプレート１２０は、本発明の「すべり板」の一例であり、上沓２００は、本発明の「摺動材」の一例である。ベアリング２５０は、本発明の「すべり材」の一例であり、ダストシール２６０は、本発明の「ダストシール」の一例である。孔ＩＨ１は、本発明の「内周に形成された孔」の一例であり、孔ＯＨ１は、本発明の「外周に形成された孔」の一例である。
【００４２】
［５．変形例］
以上、実施の形態について説明したが、本発明は、上記実施の形態に限定されるものではなく、その趣旨を逸脱しない限りにおいて、種々の変更が可能である。以下、変形例について説明する。但し、以下の変形例は適宜組合せ可能である。
【００４３】
＜５−１＞
上記実施の形態において、溝２１２の断面は円弧状としたが、溝２１２の断面形状はこれに限定されない。たとえば、溝２１２の断面は、三角形状であってもよいし、矩形状であってもよい。
【００４４】
＜５−２＞
また、上記実施の形態において、溝２１２はべースポット２１０の外周よりも内側に設けられたが、溝２１２が設けられる位置はこれに限定されない。たとえば、溝２１２は、べースポット２１０の下面における外周位置に設けられてもよい。
【００４５】
＜５−３＞
また、上記実施の形態においては、上沓２００が建物の上部構造に取り付けられ、下沓１００が建物の下部構造に取り付けられたが、上沓２００及び下沓１００の各々が取り付けられる対象はこれに限定されない。たとえば、上沓２００（べースポット２１０）に建物の下部構造が取り付けられ、下沓１００（ソールプレート１１０）に建物の上部構造が取り付けられてもよい。
【００４６】
＜５−４＞
また、上記実施の形態において、ダストシール２６０は、接着剤によって溝２１２に接合された。しかしながら、ダストシール２６０の溝２１２への接合方法はこれに限定されない。たとえば、べースポット２１０をかしめることによって、ダストシール２６０の溝２１２への接合が行なわれてもよい。
【００４７】
＜５−５＞
また、上記実施の形態において、ダストシール２６０は、すべり支承装置１０の出荷時に溝２１２に既に接合されていてもよいし、すべり支承装置１０の設置時に溝２１２に接合されてもよい。
【００４８】
＜５−６＞
また、上記実施の形態において、ダストシール２６０は、たとえば、ＰＦＡで構成されるとしたが、ダストシール２６０の材料はこれに限定されない。たとえば、ダストシール２６０は、高い耐候性を有する他の材料によって構成されてもよいし、透明又は半透明の他の材料によって構成されてもよい。
【００４９】
＜５−７＞
また、上記実施の形態において、ダストシール２６０の外周には、複数の孔ＯＨ１が形成されていた。しかしながら、孔ＯＨ１の数はこれに限定されず、たとえば、１つであってもよい。なお、複数個の孔ＯＨ１が形成されていると、すべり支承装置１０の設置場所等に拘わらず、様々な位置からダストシール２６０内に潤滑油を注入することができる。内周の孔ＩＨ１は、外周の孔ＯＨ１よりも多く形成されていることが好ましく、例えば、外周の孔ＯＨ１が１つの場合、内周の孔ＩＨ１は２つ以上であり、外周の孔ＯＨ１が２つの場合、内周の孔ＩＨ１は３つ以上であることが好ましい。
【符号の説明】
【００５０】
１０  すべり支承装置、１００  下沓、１１０  ソールプレート、１２０  スライドプレート（すべり板）、２００  上沓、２１０  べースポット、２１２  溝、２１４  凹部、２２０  エラストマ、２３０  シールリング、２４０  ピストン、２５０  ベアリング（すべり材）、２６０  ダストシール、ＩＨ１，ＯＨ１  孔、Ｏ１  潤滑油。
【図１】
2019207009.tif 000003
【図２】
2019207009.tif 000004
【図３】
2019207009.tif 000005
【図４】
2019207009.tif 000006
【図５】
2019207009.tif 000007
【図６】
2019207009.tif 000008
【図７】
2019207009.tif 000009
【図８】
2019207009.tif 000010
【図９】
2019207009.tif 000011